(57)【特許請求の範囲】
【請求項１】
ロールボックスパレットの枠柱において人の目の高さの個所の外周にバーコードシールを巻き付けて、その粘着裏面により固着する構成とし、このバーコードシールは、前記枠柱の外周に巻き付けた状態で、バーコードの高さがロールボックスパレットの枠柱の外周を充分に覆うように、バーコード自身の高さ方向を長尺に構成したバーコードを、天地方向に配列して表記するとともに、その上または下に目視情報部を配置し、その目視情報部には少なくとも、バーコードが表す情報と同じ情報を表記したことを特徴とするバーコードシールを備えたロールボックスパレット。
【請求項２】
バーコードが表す情報には、ロールボックスパレットを識別するための情報を含むことを特徴とする請求項１に記載のバーコードシールを備えたロールボックスパレット。
【請求項３】
目視情報部には、バーコードが表す情報と同じ情報に加えて、顧客情報を表記したことを特徴とする請求項１に記載のバーコードシールを備えたロールボックスパレット。
【請求項４】
目視情報部には、バーコードが表す情報と同じ情報に加えて、日付情報を表記したことを特徴とする請求項１に記載のバーコードシールを備えたロールボックスパレット。
【発明の詳細な説明】
【技術分野】
【０００１】
本発明は、ロールボックスパレット（「かご台車」とも呼ばれる）を用いた物流システムに関し、特に、バーコードシールを備えたロールボックスパレットに関するものである。
【背景技術】
【０００２】
ロールボックスパレットは外周の３面を格子枠で構成し、残りの１面が開口になっているキャスタ付きの有底かご台車である。台車機能とパレット機能を併せ持っているので、倉庫では荷物を積み込んだまま保管し、搬送時においては、そのままトラックに積み込んで運搬し、配送先ではそのまま荷下ろしができるので、たいへん便利で汎用性も高く、近年各種物流において多用されている。しかしながら、ロールボックスパレットをレンタルする業務や、あるいはこれを利用して各種の物品を運搬する物流業務などにおいては、その出庫や入庫、あるいは所在地に関する情報を的確に把握して管理することが求められている。
【０００３】
ロールボックスパレットの従来例としては、例えば特許文献１（特開平８−１８８１５８号公報）や特許文献２（特開２００６−２５６４８８号公報）あるいは特許文献３（特開２００６−２９０４４０号公報）に記載のものがある。これらいずれの例においても、コンピュータによる管理を容易にするための手段を備えていないので、従来においては、例えば管理対象のロールボックスパレットのそれぞれに管理番号等を付け、管理台帳に出庫や入庫情報を記帳する等して管理していた。
【特許文献１】特開平８−１８８１５８号公報
【特許文献２】特開２００６−２５６４８８号公報
【特許文献３】特開２００６−２９０４４０号公報
【発明の開示】
【発明が解決しようとする課題】
【０００４】
このように、従来のロールボックスパレットにおいては、管理台帳の記帳等に手間がかかるうえ、記帳ミスが発生しやすく、さらにはロールボックスパレットをレンタルにて利用する場合等において、紛失事故が発生する等の課題があった。本発明はこのような課題を解決し、ロールボックスパレットのコンピュータによる管理を容易にして、管理の信頼性を高めるとともに省力化を計り、ロールボックスパレットの利用をさらに促進することを目的とするものである。
【課題を解決するための手段】
【０００５】
以上の課題を解決するために，本発明では、ロールボックスパレットの枠柱において人の目の高さの個所の外周にバーコードシールを巻き付けて、その粘着裏面により固着する構成とし、このバーコードシールは、前記枠柱の外周に巻き付けた状態で、バーコードの高さがロールボックスパレットの枠柱の外周を充分に覆うように、バーコード自身の高さ方向を長尺に構成したバーコードを、天地方向に配列して表記するとともに、その上または下に目視情報部を配置し、その目視情報部には少なくとも、バーコードが表す情報と同じ情報を表記したバーコードシールを備えたロールボックスパレットを提案する。
【０００６】
そして、本発明は上記構成において、バーコードが表す情報には、ロールボックスパレットを識別するための情報を含むバーコードシールを備えたロールボックスパレットを提案する。
【０００７】
さらに、本発明は上記構成において、目視情報部には、バーコードが表す情報と同じ情報に加えて、顧客情報を表記したバーコードシールを備えたロールボックスパレットを提案する。
【０００８】
そして、本発明は上記構成において、目視情報部には、バーコードが表す情報と同じ情報に加えて、日付情報を表記したバーコードシールを備えたロールボックスパレットを提案する。
【発明の効果】
【０００９】
まず、本発明のバーコードシールは、ロールボックスパレットの枠柱の外周に巻き付けて、固着可能に形成した粘着裏面を有しているので、このシールをロールボックスパレットの枠柱の外周に巻き付けて、その裏面をロールボックスパレットの枠柱の外周に貼り付けることができる。この状態で、シールの表面には、バーコードを表記しているので、バーコードリーダによりワンタッチでこのバーコードを読み取って、その情報をコンピュータに入力することができる。したがって、手入力による入力ミスや記帳ミスなどの発生が無く、しかも手間がかからずに、ロールボックスパレットのコンピュータによる管理を容易にして、管理の信頼性を高める効果がある。
【００１０】
さらに本発明のバーコードシールは、前記のように、その裏面をロールボックスパレットの枠柱の外周に貼り付けた状態で、バーコードの高さがロールボックスパレットの枠柱の外周を充分に覆うように、バーコード自身の高さ方向を長尺に構成しているので、高さ方向が短尺な従来のバーコードに比べ、ロールボックスパレットの枠柱の周方向における、バーコードの存在領域を長く形成させることができ、したがってロールボックスパレットの枠柱の周方向のどこからでもバーコードリーダをバーコードに近接させて読み取ることができるので、厳密な位置合わせが不要であり、読み取り操作を簡素化しうるという効果がある。
【００１１】
また、本発明のバーコードシールは、バーコードの上または下に目視情報部を配置し、その目視情報部には少なくとも、バーコードが表す情報と同じ情報を表記したので、バーコードが表す情報を目視によって確認することができる。
【００１２】
さらに、本発明のバーコードシールに表記するバーコードが表す情報には、ロールボックスパレットを識別するための情報、例えば識別コード等を含むので、これをバーコードリーダで読み取って、コンピュータに入力すれば、データベース等の検索キーとして利用することができるので、その識別情報を有するロールボックスパレットに関するさまざまデータ処理を効率良く行うことができる。
【００１３】
また、本発明のバーコードシールの目視情報部には、顧客情報や日付情報を表記したので、ロールボックスパレットの引渡し先顧客に関する情報、例えば顧客名等を目視によって確認することができるし、またロールボックスパレットの出荷日等の日付情報も目視確認することができる。
【実施例】
【００１４】
次に本発明の実施例を添付図面を参照して説明する。
図１〜図４は本発明に係る実施例を示すもので、図１（ａ）は本発明のバーコードシール１の表面説明図で、バーコード２自身の高さ方向Ｈを長尺に構成したバーコード２を天地方向Ｗに配列して表記するとともに、その上または下に目視情報部３を配置し、その目視情報部３には少なくとも、バーコード２が表す情報と同じ情報４を表記している。なお、バーコードシール１は粘着裏面（図示せず）を有している。
【００１５】
また、図５の従来のバーコード２００がバーコード２００自身の高さ方向ｈにおいて短尺であるのに比べ、本発明のバーコードシール１は充分長尺な構成としている。これは、本発明のバーコードシール１の使用状態の斜視図的説明図である図１（ｂ）に示すように、本発明のバーコードシール１をロールボックスパレット５の適宜な枠柱、例えば枠柱６ａの人の目の高さの個所の外周に、その粘着裏面を巻き付けて固着させた状態で、バーコード２の高さＨがロールボックスパレット５の枠柱６ａの外周を充分に覆うようにするためであり、例えばバーコード２の高さと、ロールボックスパレット５の枠柱６ａの外周長を同じにすれば、枠柱６ａの全周において、バーコード２が存在することになり、したがってロールボックスパレット５の枠柱６ａの周方向のどこからでもバーコードリーダ（図示せず）をバーコード２に近接させて読み取ることができる。図２は図１（ｂ）の要部Ａを拡大した説明図である。
【００１６】
本実施例においては、バーコードシール１をロールボックスパレット５の枠柱６ａに貼り付けたが、枠柱ならば６ｂでも６ｃでも都合の良いところに貼って良く、また人の目の高さであれば、バーコードシール１を見つけやすいし、しかもバーコードリーダも操作しやすく、また目視情報部３の内容を目で見て確認しやすい。
【００１７】
図３は、本発明のバーコードシール１の運用説明図である。バーコードシール１の発給者（図示せず）はインターネット７等に接続したサーバ８と端末機器（パソコン）９とプリンタ１０により、バーコードシール１の発行処理を行う。サーバ８は管理対象のロールボックスパレット５に関するデータベースを有し、ロールボックスパレット５を識別するための情報、例えば識別コード等に対応させて、その所在地に関するデータや、顧客情報、出荷日付情報等を蓄積しているので、例えば識別コードを検索キーとして利用することにより、ロールボックスパレット５に関するさまざまデータ処理を行うことができる。
【００１８】
端末機器（パソコン）９はサーバ８の端末機器として、サーバ８に対してデータ検索や更新処理の実行を指示するとともに、インターネット７を介して、利用者側の端末機器（パソコン）１１と電子メール等のデータ通信を行い、そしてプリンタ１０により、バーコードシール１の発行処理を行う。プリンタ１０による印刷処理においては、例えば図４に示すように、Ａ４版の台紙１２に粘着紙１３を貼り付けるとともに、粘着紙１３にはバーコードシール１の形状にあらかじめ切り目１４を入れて、複数枚（本実施例では８枚）の無地シール１５を形成した用紙を用い、無地シール１５のそれぞれに、バーコードシール１の１枚分のデータを印刷し、そしてバーコードシール１を一枚一枚切り目１４からはがして使用する。
【００１９】
利用者側では端末機器（パソコン）１１と、バーコードリーダ機能と端末機器（パソコン）１１との通信機能を備えた可搬端末機器（ハンディターミナル）１６により、例えば以下のように運用する。
【００２０】
まず、バーコードシール１の発給者側において、ロールボックスパレット５の出庫にさいし、識別コードと顧客情報、出荷日付情報を、端末機器（パソコン）９からサーバ８上のデータベースに対し登録するとともに、その情報をバーコードシール１に印刷し、そしてこれをロールボックスパレット５に貼り付けて出庫する。そのさい、利用者側に対し、バーコードシール１の情報と、その情報を有するロールボックスパレット５を出庫した旨を、インターネット７を経由して電子メールにより利用者側の端末機器（パソコン）１１に通知する。
【００２１】
利用者側ではロールボックスパレット５の入荷時に、可搬端末機器（ハンディターミナル）16により、バーコードシール１のバーコードを読み取って、そのデータを端末機器（パソコン）１１に転送する。さらに、端末機器（パソコン）１１はそのデータを、インターネット７を経由して電子メールにより発給者側の端末機器（パソコン）９に送信して、入荷したことを通知する。
【００２２】
発給者側は利用者側から送信された入荷情報に基づいて、サーバ８上のデータベースの内容を更新する。つまり、利用者側から送信された入荷情報に含まれる識別コードを有するロールボックスパレット５の所在地情報を、例えば「顧客への搬送中」から「顧客入荷」へ変更する。
【産業上の利用可能性】
【００２３】
以上のように、本発明のバーコードシールを備えたロールボックスパレットは、バーコードシールをロールボックスパレットの枠柱の外周に貼り付けるだけのきわめて簡単な操作で、識別コード等の管理情報をバーコードと目視情報の双方により、ロールボックスパレットの一つ一つに対し与えることができ、しかも誤りの多い手入力によらず、バーコードリーダによりそのバーコードを読み込んで、パソコン等のコンピュータによるデータ処理が可能であるうえ、そのバーコードリーダによる読み取り操作において、従来のような厳密な位置合わせが不要なので、読み取り操作を簡素化でき、したがってロールボックスパレットのコンピュータによる管理を容易にして、しかも管理の信頼性を高めることができることから、ロールボックスパレットの利用をさらに促進するので、その産業上の利用可能性はきわめて甚大である。
【図面の簡単な説明】
【００２４】
【図１】（ａ）は本発明のバーコードシール１の表面説明図、 （ｂ）は本発明のバーコードシール１の使用状態の斜視図的説明図。
【図２】図１における要部の拡大図的説明図。
【図３】本発明のバーコードシール１の運用説明図。
【図４】本発明のバーコードシール１の印刷状態説明図。
【図５】従来のバーコードの説明図。
【符号の説明】
【００２５】
１                本発明のバーコードシール
２                バーコード
３                目視情報部
３ａ              目視情報部における顧客情報
３ｂ              目視情報部における日付情報
３ｃ              目視情報部におけるバーコードシールの発給者名等の情報
４                目視情報部３における、バーコード２が表す情報と同じ情報
５                ロールボックスパレット
６（６ａ、６ｂ、６ｃ、…）    枠柱
７                インターネット
８                サーバ
９                端末機器（パソコン）
１０              プリンタ
１１              利用者側の端末機器（パソコン）
１２              台紙
１３              粘着紙
１４              切り目
１５              無地シール
１６              可搬端末機器（ハンディターミナル）
Ｈ                バーコード２の高さ方向
Ｗ                バーコード２の天地方向
２００            従来のバーコード
ｈ                従来のバーコード２００の高さ方向
ｗ                従来のバーコード２００の天地方向
【図１】
0004919507.tif 000002
【図２】
0004919507.tif 000003
【図３】
0004919507.tif 000004
【図４】
0004919507.tif 000005
【図５】
0004919507.tif 000006